(57)【要約】【課題】ワイヤー係止具の取り付けを効率的な施工で行うことができ、取付物によって被取付面が塞がれる状態でも適正な位置に取り付けることができる。【解決手段】被取付物と取付物を取り付ける取付部が、取付物から被取付物の逆側に突出するように設けられ且つ先端近傍にテーパー部１１２が形成されたテーパーボルト１１と、テーパーボルト１１に外挿されテーパー部１１２の相対的な進入に応じて拡開可能なスリーブ１２と、雄ねじ部１１１に螺合されて取付物を被取付物側に押圧する緩み止めナット１４から構成され、ワイヤー係止穴１５３が形成されたワイヤー係止部１５２が筒部１５１の側方に突出形成された係止アダプター１５の筒部１５１が雄ねじ部１１１に外挿され、筒部１５１を位置決めする緩み止めナット１６が雄ねじ部１１１に螺合され、緩み止めナット１４、筒部１５１、緩み止めナット１６の順で配設されるワイヤー係止具１０。【選択図】図１
2018040390.tif 000002
【特許請求の範囲】
【請求項１】
被取付物と取付物を取り付ける取付部と、
ワイヤー係止穴が形成されたワイヤー係止部が筒部の側方に突出形成されている係止アダプターを備え、
前記取付部は、前記取付物から前記被取付物の逆側に突出するように設けられるボルトと、前記ボルトの雄ねじ部に螺合されて前記取付物を前記被取付物側に押圧する第１のナットを有し、
前記係止アダプターの前記筒部が前記ボルトの雄ねじ部に外挿され、
前記係止アダプターの前記筒部を位置決めする第２のナットが前記ボルトの雄ねじ部に螺合され、
前記第１のナット、前記筒部、前記第２のナットの順で配設されていることを特徴とするワイヤー係止具。
【請求項２】
前記取付部が、前記取付物から前記被取付物の逆側に突出するように設けられ且つ先端近傍にテーパー部が形成されたテーパーボルトと、前記テーパーボルトに外挿されて前記テーパー部の相対的な進入に応じて拡開可能なスリーブと、前記第１のナットから構成されることを特徴とする請求項１記載のワイヤー係止具。
【請求項３】
前記取付部が、前記取付物から前記被取付物の逆側に突出するように設けられる頭部付ボルトと、若しくは前記取付物から前記被取付物の逆側に突出するように設けられる全ねじボルト及び前記全ねじボルトの雄ねじ部に前記被取付物の被取付面と逆側から前記被取付物を押圧可能に螺合される第３のナットと、前記第１のナットとから構成されることを特徴とする請求項１記載のワイヤー係止具。
【請求項４】
前記ボルトの雄ねじ部の前記第２のナット側の端部近傍の途中に、前記雄ねじ部より小径でねじ溝のない段落とし部が形成されていることを特徴とする請求項１〜３の何れかに記載のワイヤー係止具。
【請求項５】
取付物から被取付物の逆側に突出するように設けられる前記被取付物と前記取付物を取り付ける取付部のボルトの雄ねじ部に外挿可能な筒部と、
前記筒部から側方に突出形成され且つワイヤー係止穴が形成されたワイヤー係止部を備え、
前記筒部が、前記ボルトの雄ねじ部に外挿された状態で、前記ボルトの雄ねじ部に螺合される第１のナット及び第２のナットで両側から挟み込まれて定置可能になっていることを特徴とするワイヤー係止具用の係止アダプター。
【発明の詳細な説明】
【技術分野】
【０００１】
本発明は、取付物の落下を防止する落下防止ワイヤーが係止されるワイヤー係止具及びワイヤー係止具用の係止アダプターに関する。
【背景技術】
【０００２】
従来、取付物の落下防止対策として、十分な支持力で取付物の取り付けを行い、万一の為の予防策として通常時には荷重がかからない状態で取付物の落下を防止する落下防止ワイヤーを設置するフェールセーフが行われており、この落下防止ワイヤーの設置には落下防止ワイヤーが係止されるワイヤー係止具が用いられている（特許文献１、２参照）。
【先行技術文献】
【特許文献】
【０００３】
【特許文献１】特開２００８−３１６８５号
【特許文献２】特開２００２−３７１５２３号
【発明の概要】
【発明が解決しようとする課題】
【０００４】
ところで、落下防止ワイヤーが係止されるワイヤー係止具を被取付物に取り付ける場合、取付物を被取付物に取付部材で取り付ける工程とは別に、ワイヤー係止具を被取付物に取り付ける工程を行う必要があるため、ワイヤー係止具を取り付けるための施工に手間を要するという問題がある。また、取付物を取り付ける被取付物にワイヤー係止具を取り付ける場合、取付物によって被取付面が塞がれているケースでは、ワイヤー係止具を新たに取り付ける場所が無いか、或いはあったとしても落下防止ワイヤーを配置する位置からかなり離れた不経済な場所になってしまうという問題もある。
【０００５】
本発明は上記課題に鑑み提案するものであって、落下防止ワイヤーが係止されるワイヤー係止具を被取付物に取り付ける場合に、ワイヤー係止具の取り付けを手間の少ない効率的な施工で行うことができると共に、取付物によって被取付面が塞がれる状態でも適正な位置に取り付けることができるワイヤー係止具、及びワイヤー係止具に用いるワイヤー係止具用の係止アダプターを提供することを目的とする。
【課題を解決するための手段】
【０００６】
本発明のワイヤー係止具は、被取付物と取付物を取り付ける取付部と、ワイヤー係止穴が形成されたワイヤー係止部が筒部の側方に突出形成されている係止アダプターを備え、前記取付部は、前記取付物から前記被取付物の逆側に突出するように設けられるボルトと、前記ボルトの雄ねじ部に螺合されて前記取付物を前記被取付物側に押圧する第１のナットを有し、前記係止アダプターの前記筒部が前記ボルトの雄ねじ部に外挿され、前記係止アダプターの前記筒部を位置決めする第２のナットが前記ボルトの雄ねじ部に螺合され、前記第１のナット、前記筒部、前記第２のナットの順で配設されていることを特徴とする。
これによれば、ワイヤー係止具が被取付物と取付物を取り付ける取付部を有することから、取付物を被取付物に取り付ける工程をワイヤー係止具を被取付物に取り付ける工程で同時に行うことができ、取付物を被取付物に取付部材で取り付ける工程とは別に、ワイヤー係止具を被取付物に取り付ける工程を行うことが不要となる。即ち、ワイヤー係止具の取り付けを手間の少ない効率的な施工で行うことができる。また、ワイヤー係止具の取り付けが取付物の被取付物への取り付けを兼用するので、取付物の被取付物だけを行えばワイヤー係止具を単独で新たに設置する必要がないことから、取付物によって被取付面が塞がれる状態でもワイヤー係止具及びワイヤーを適正な位置に取り付けることができる。従って、効率的な施工で適正な落下防止対策を行うことができる。
【０００７】
本発明のワイヤー係止具は、前記取付部が、前記取付物から前記被取付物の逆側に突出するように設けられ且つ先端近傍にテーパー部が形成されたテーパーボルトと、前記テーパーボルトに外挿されて前記テーパー部の相対的な進入に応じて拡開可能なスリーブと、前記第１のナットから構成されることを特徴とする。
これによれば、テーパーボルトとスリーブで構成されるアンカーをコンクリートの壁や天井等の被取付物に固定し、取付物の貫通穴をテーパーボルトに嵌めて取付物を取り付ける場合等に、効率的な施工で適正な落下防止対策を行うことができる。
【０００８】
本発明のワイヤー係止具は、前記取付部が、前記取付物から前記被取付物の逆側に突出するように設けられる頭部付ボルトと、若しくは前記取付物から前記被取付物の逆側に突出するように設けられる全ねじボルト及び前記全ねじボルトの雄ねじ部に前記被取付物の被取付面と逆側から前記被取付物を押圧可能に螺合される第３のナットと、前記第１のナットとから構成されることを特徴とする。
これによれば、トンネル内装板、耐火板、遮音壁等の壁状部材或いは板状部材の落下防止対策を効率的な施工で適正に行うことができる。
【０００９】
本発明のワイヤー係止具は、前記ボルトの雄ねじ部の前記第２のナット側の端部近傍の途中に、前記雄ねじ部より小径でねじ溝のない段落とし部が形成されていることを特徴とする。
これによれば、万一、第２のナットが交通振動等により緩んだとしても、段落とし部で第２のナットの雌ねじがボルトの雄ねじ部から一旦はずれ、芯ズレを起こす為、第２のナットがそれ以上緩んでくることを防止することができ、ナットの落下も防止することができる。また、第２のナットが段落とし部に落ち込んだ状態では、取付物はグラグラするが落下していない状態となることから、この状態を点検時に発見して補修することにより、事故を未然に防止することができる。更に、短時間で施工可能、保守管理が容易、ナットの落下を防止可能という効果を有することから、特に、取付物が道路用設備である場合の落下防止対策として非常に高い有効性を発揮する。
【００１０】
本発明のワイヤー係止具用の係止アダプターは、取付物から被取付物の逆側に突出するように設けられる前記被取付物と前記取付物を取り付ける取付部のボルトの雄ねじ部に外挿可能な筒部と、前記筒部から側方に突出形成され且つワイヤー係止穴が形成されたワイヤー係止部を備え、前記筒部が、前記ボルトの雄ねじ部に外挿された状態で、前記ボルトの雄ねじ部に螺合される第１のナット及び第２のナットで両側から挟み込まれて定置可能になっていることを特徴とする。
これによれば、被取付物と取付物を取り付ける取付部を有するワイヤー係止具にその構成部材として係止アダプターを外挿する構成により、取付物を被取付物に取り付ける工程をワイヤー係止具を被取付物に取り付ける工程で同時に行うことができ、取付物を被取付物に取付部材で取り付ける工程とは別に、ワイヤー係止具を被取付物に取り付ける工程を行うことが不要となる。即ち、落下防止ワイヤーを係止可能なワイヤー係止具の取り付けを手間の少ない効率的な施工で行うことができる。また、係止アダプターを有するワイヤー係止具の取り付けが取付物の被取付物への取り付けを兼用するので、取付物の被取付物だけを行えばワイヤー係止具を単独で新たに設置する必要がないことから、取付物によって被取付面が塞がれる状態でもワイヤー係止具及びワイヤーを適正な位置に取り付けることができる。従って、効率的な施工で適正な落下防止対策を行うことができる。
【図面の簡単な説明】
【００１１】
【図１】（ａ）は本発明による第１実施形態のワイヤー係止具の正面図、（ｂ）はその右側面図、（ｃ）はその縦断面図。
【図２】（ａ）は第１実施形態のワイヤー係止具におけるテーパーボルトの正面図、（ｂ）、（ｃ）は第１実施形態のワイヤー係止具における緩み止めナットの斜視図、（ｄ）は第１実施形態のワイヤー係止具における係止アダプターの正面図。
【図３】（ａ）〜（ｄ）は第１実施形態のワイヤー係止具の固定及び取付物の取付の工程を説明する一部縦断説明図。
【図４】第１実施形態のワイヤー係止具で取付物を取り付けて落下防止ワイヤーを設置した構成例を示す一部縦断説明図。
【図５】図４の構成例におけるワイヤー係止具の近傍を示す拡大図。
【図６】図４の構成例において緩み止めナットが段落とし部に嵌った場合を示す説明図。
【図７】（ａ）は本発明による第２実施形態のワイヤー係止具の正面図、（ｂ）は第２実施形態のワイヤー係止具におけるボルトの正面図、（ｃ）は第２実施形態のワイヤー係止具における係止アダプターの正面図。
【図８】第２実施形態のワイヤー係止具で被取付物に取付物を取り付けて落下防止ワイヤーを設置した構成例のワイヤー係止具近傍を示す一部縦断説明図。
【発明を実施するための形態】
【００１２】
〔第１実施形態のワイヤー係止具〕
本発明による第１実施形態のワイヤー係止具１０は、図１及び図２に示すように、外周に軸方向に延びる雄ねじ部１１１が形成されていると共に、先端近傍に先端に向かうに従って漸次拡径するテーパー部１１２が形成されているテーパーボルト１１を有する。この雄ねじ部１１１の後端近傍の途中には、雄ねじ部１１１より小径でねじ溝のない段落とし部１１３が形成されている。テーパーボルト１１は、後述するように、取付物から被取付物の逆側に突出するように設けられる。
【００１３】
テーパーボルト１１の前寄りの位置には、略筒状のスリーブ１２が外挿されている。スリーブ１２の前側にはスリット１２１で分割された拡開部１２２が設けられており、拡開部１２２は、テーパーボルト１１のテーパー部１２２の相対的な進入に応じて拡開可能になっている。スリーブ１２の後側では、ワッシャー１３がテーパーボルト１１に外挿され、その後側では、第１のナットに相当する緩み止めナット１４が雄ねじ部１１１に螺合されている。緩み止めナット１４には、雄ねじ部１１１のねじ溝に係合してナットの螺合状態が緩み方向に戻らないように締付機能を有する板バネ状材料からなる係合片１４１が内設されている。
【００１４】
このテーパーボルト１１と、スリーブ１２と、第１のナットに相当する緩み止めナット１４は、ワイヤー係止具１０のうち、被取付物と取付物を取り付ける取付部を構成しており、被取付物と取付物を取り付けた状態では、テーパーボルト１１とスリーブ１２がコンクリート構造物等の被取付物に固定されると共に、第１のナットに相当する緩み止めナット１４が取付物を被取付物側に押圧するようになっている。
【００１５】
緩み止めナット１４の後側では、係止アダプター１５の筒部１５１がテーパーボルト１１の雄ねじ部１１１に外挿されている。本実施形態の係止アダプター１５は、雄ねじ部１１１に外挿可能な略円筒状の筒部１５１と、筒部１５１の側方に突出するように形成されているワイヤー係止部１５２を有し、ワイヤー係止部１５２にはワイヤー係止穴１５３が形成されている。
【００１６】
係止アダプター１５の後側では、第２のナットに相当する別の緩み止めナット１６が雄ねじ部１１１に螺合されており、別の緩み止めナット１６は、雄ねじ部１１１における段落とし部１１３よりも前側のねじ溝に螺合されている。別の緩み止めナット１６にも、雄ねじ部１１１のねじ溝に係合してナットの螺合状態が緩み方向に戻らないように締付機能を有する板バネ状材料からなる係合片１６１が内設されている。
【００１７】
第１のナットに相当する緩み止めナット１４、係止アダプター１５の筒部１５１、第２のナットに相当する緩み止めナット１６は、テーパーボルト１１の雄ねじ部１１１に順に並んで配設され、緩み止めナット１４に筒部１５１を押し付けるように別の緩み止めナット１６を螺合することにより、筒部１５１或いは係止アダプター１５が、緩み止めナット１４、１６で挟み込まれて位置決めされるようになっている。即ち、第２のナットに相当する別の緩み止めナット１６は、筒部１５１或いは係止アダプター１５を位置決めする機能を有する。
【００１８】
第１実施形態のワイヤー係止具１０で被取付物に取付物を取り付ける際には、例えば図３（ａ）、（ｂ）に示すように、被取付物に相当するコンクリート構造物５０に形成した穿孔５１に、ワイヤー係止具１０を構成するテーパーボルト１１及びこれに外挿されたスリーブ１２を挿入し、有底円筒状の打込棒４１の開口端をスリーブ１２の後端に当接し、打込棒４１をハンマー等の打込工具４２で打ち込んでスリーブ１２を孔奥側に打ち込む。この打込みにより、テーパーボルト１１のテーパー部１２２が拡開部１２２内に相対的に進入し、拡開部１２２が拡開して穿孔５１の孔壁に食い込み、テーパーボルト１１及びスリーブ１２がコンクリート構造物５０に固定して取り付けられる。
【００１９】
その後、図３（ｃ）に示すように、コンクリート構造物５０に固定されたテーパーボルト１１に取付物３０の貫通穴を通して取付物３０を外挿し、その後側からワッシャー１３をテーパーボルト１１に外挿し、ワッシャー１３の後側からテーパーボルト１１の雄ねじ部１１１に第１のナットに相当する緩み止めナット１４を螺入する。緩み止めナット１４は、ワッシャー１３を介して取付物３０を被取付物に相当するコンクリート構造物５０側に押圧するまで螺入する。
【００２０】
その後、図３（ｄ）に示すように、緩み止めナット１４の後側からテーパーボルト１１に係止アダプター１５の筒部１５１を外挿し、更に、その外側から第２のナットに相当する別の緩み止めナット１６を雄ねじ部１１１に螺入する。別の緩み止めナット１６は、雄ねじ部１１１における段落とし部１１３よりも前側のねじ溝に螺合すると共に、緩み止めナット１４に筒部１５１を押し付けるまで螺入し、緩み止めナット１４と緩み止めナット１６で両側から係止アダプター１５の筒部１５１を挟み込み、係止アダプター１５を位置決めして定置させる。
【００２１】
このようにワイヤー係止具１０でコンクリート構造物５０に取付物３０を取り付ける構造により、例えば図４及び図５に示すように、取付物３０ａの上部と下部に設けられている支持金物３０１ａ・３０１ａをそれぞれワイヤー係止具１０・１０でコンクリート構造物５０に固定して取り付け、取付物３０ａをコンクリート構造物５０に取り付けることができる。
【００２２】
コンクリート構造物５０に取り付けたワイヤー係止具１０における係止アダプター１５のワイヤー係止穴１５３にはシャックル２１が取り付けられ、シャックル２１を介して取付物３０ａの落下を防止する落下防止用のワイヤー２２が取り付けられる。図４及び図５の例では、上下に設けられたワイヤー係止具１０・１０のワイヤー係止部１５２・１５２間に架け渡すように落下防止用のワイヤー２２が設けられている。
【００２３】
第１実施形態によれば、ワイヤー係止具１０が被取付物と取付物を取り付ける取付部を有することから、取付物を被取付物に取り付ける工程をワイヤー係止具１０をコンクリート構造物５０等の被取付物に取り付ける工程で同時に行うことができ、取付物を被取付物に取付部材で取り付ける工程とは別に、ワイヤー係止具を被取付物に取り付ける工程を行うことが不要となる。即ち、ワイヤー係止具１０は、手間の少ない効率的な施工で取り付けることができる。
【００２４】
また、ワイヤー係止具１０の取り付けが取付物の被取付物への取り付けを兼用するので、取付物の被取付物だけを行えばワイヤー係止具を単独で新たに設置する必要がないことから、取付物によってコンクリート構造物５０等の取付物の被取付面が塞がれる状態でもワイヤー係止具１０及びワイヤー２２を適正な位置に取り付けることができる。従って、例えばテーパーボルト１１とスリーブ１２で構成されるアンカーをコンクリートの壁や天井等の被取付物に固定し、取付物の貫通穴をテーパーボルトに嵌めて取付物を取り付ける場合等に、効率的な施工で適正な落下防止対策を行うことができる。
【００２５】
また、ワイヤー係止具１０には、雄ねじ部１１１の第２のナットに相当する緩み止めナット１６側の端部近傍の途中に、雄ねじ部１１１より小径でねじ溝のない段落とし部１１３が形成されていることから、万一、第２のナットに相当する緩み止めナット１６が交通振動等により緩んだとしても、段落とし部１１３で緩み止めナット１６の雌ねじが雄ねじ部１１１から一旦はずれ、芯ズレを起こす為、緩み止めナット１６がそれ以上緩んでくることを防止することができ、緩み止めナット１６の落下も防止することができる（図６参照）。また、第２のナットに相当する緩み止めナット１６が段落とし部１１３に落ち込んだ状態では、取付物３０ａ等はグラグラするが落下していない状態となることから、この状態を点検時に発見して補修することにより、事故を未然に防止することができる。
【００２６】
また、ワイヤー係止具１０は、短時間で施工可能、保守管理が容易、ナットの落下を防止可能という効果を有することから、特に、取付物が道路用設備である場合の落下防止対策として非常に高い有効性を発揮する。
【００２７】
〔第２実施形態のワイヤー係止具〕
本発明による第２実施形態のワイヤー係止具６０は、図７及び図８に示すように、外周に軸方向に延びる雄ねじ部６１１が形成されていると共に、頭部６１２を備える頭部付ボルト６１を有する。この雄ねじ部６１１の後端近傍の途中には、雄ねじ部６１１より小径でねじ溝のない段落とし部６１３が形成されている。頭部付ボルト６１も取付物３６から被取付物５６の逆側に突出するように設けられる。
【００２８】
頭部付ボルト６１の雄ねじ部６１１にはワッシャー６２が外挿され、その後側では、第１のナットに相当する緩み止めナット６３が雄ねじ部６１１に螺合されている。緩み止めナット６３の構成は、第１実施形態の緩み止めナット１４と同一であり、雄ねじ部６１１のねじ溝に係合可能な係合片が内設されている。
【００２９】
頭部付ボルト６１と、第１のナットに相当する緩み止めナット６３は、ワイヤー係止具６０のうち、被取付物５６と取付物３６を取り付ける取付部を構成しており、被取付物５６と取付物３６を取り付けた状態では、第１のナットに相当する緩み止めナット６３が取付物３６を被取付物５６側に押圧し、頭部付ボルト６１の頭部６１２と緩み止めナット６３とで被取付物５６と取付物３６を挟持するようになっている。
【００３０】
緩み止めナット６３の後側では、係止アダプター６４の筒部６４１が頭部付ボルト６１の雄ねじ部６１１に外挿されている。係止アダプター６４の構成は、第１実施形態の係止アダプター１５と同一であり、雄ねじ部６１１に外挿可能な略円筒状の筒部６４１と、筒部６４１の側方に突出するように形成されているワイヤー係止部６４２を有し、ワイヤー係止部６４２にはワイヤー係止穴６４３が形成されている。
【００３１】
係止アダプター６４の後側では、第２のナットに相当する別の緩み止めナット６５が雄ねじ部６１１に螺合されており、別の緩み止めナット６５は、雄ねじ部６１１における段落とし部６１３よりも前側のねじ溝に螺合されている。別の緩み止めナット６５の構成は、第１実施形態の緩み止めナット１６と同一であり、雄ねじ部６１１のねじ溝に係合可能な係合片が内設されている。
【００３２】
第１のナットに相当する緩み止めナット６３、係止アダプター６４の筒部６４１、第２のナットに相当する緩み止めナット６５は、頭部付ボルト６１の雄ねじ部６１１に順に並んで配設され、緩み止めナット６３に筒部６４１を押し付けるように別の緩み止めナット６５を螺合することにより、筒部６４１或いは係止アダプター６４が、緩み止めナット６３、６５で両側から挟み込まれて位置決めされて定置されるようになっている。即ち、第２のナットに相当する別の緩み止めナット６５も、筒部６４１或いは係止アダプター６４を位置決めする機能を有する。
【００３３】
第２実施形態のワイヤー係止具６０で被取付物５６と取付物３６を取り付ける際には、図８に示すように、頭部付ボルト６１の雄ねじ部６１１或いは軸部に被取付物５６の貫通穴、取付物３６の貫通穴を通して被取付物５６、取付物３６を外挿し、その後側からワッシャー６２を頭部付ボルトの雄ねじ部６１１或いは軸部に外挿し、ワッシャー６２の後側から頭部付ボルト６１の雄ねじ部６１１に第１のナットに相当する緩み止めナット６３を螺入する。緩み止めナット６３は、ワッシャー６２を介して取付物３６を被取付物５６側に押圧するまで螺入する。
【００３４】
そして、緩み止めナット６３の後側から頭部付ボルト６１の雄ねじ部６１１或いは軸部に係止アダプター６４の筒部６４１を外挿し、更に、その外側から第２のナットに相当する別の緩み止めナット６５を雄ねじ部６１１に螺入する。別の緩み止めナット６５は、雄ねじ部６１１における段落とし部６１３よりも前側のねじ溝に螺合すると共に、緩み止めナット６３に筒部６４１を押し付けるまで螺入し、係止アダプター６４を位置決めして定置させる。
【００３５】
このように取付物３６を被取付物５６に取り付けた状態で構成された第２実施形態のワイヤー係止具６０には、係止アダプター６４のワイヤー係止穴６４３にシャックル２１が取り付けられ、シャックル２１を介して取付物３６の落下を防止する落下防止用のワイヤー２２が取り付けられる。この落下防止用のワイヤー２２は、例えば第１実施形態の図４の例のように、上下に設けられたワイヤー係止具６０・６０のワイヤー係止部６４２・６４２間に架け渡すように設けることが可能である。
【００３６】
第２実施形態によれば、ワイヤー係止具６０が被取付物５６と取付物３６を取り付ける取付部を有すること、ワイヤー係止具６０の取り付けが取付物３６の被取付物５６への取り付けを兼用すること、段落とし部６１３を有することから、これらに対応する第１実施形態と同様の効果を奏する。そして、ワイヤー係止具６０も、短時間で施工可能、保守管理が容易、ナットの落下を防止可能という効果を有することから、特に、取付物３６が道路用設備である場合の落下防止対策として非常に高い有効性を発揮する。特に、第２実施形態のワイヤー係止具６０は、トンネル内装板、耐火板、遮音壁等の壁状部材或いは板状部材の落下防止対策に適する。
【００３７】
〔本明細書開示発明の包含範囲〕
本明細書開示の発明は、発明として列記した各発明、各実施形態の他に、適用可能な範囲で、これらの部分的な内容を本明細書開示の他の内容に変更して特定したもの、或いはこれらの内容に本明細書開示の他の内容を付加して特定したもの、或いはこれらの部分的な内容を部分的な作用効果が得られる限度で削除して上位概念化して特定したものを包含する。そして、本明細書開示の発明には下記変形例や追記した内容も含まれる。
【００３８】
例えば第２実施形態のワイヤー係止具６０の変形例として、頭部付ボルト６１に代えて、取付物３６から被取付物５６の逆側に突出するように設けられる全ねじボルト及び全ねじボルトの雄ねじ部に被取付物５６の被取付面と逆側から被取付物５６を押圧可能に螺合される第３のナットを用い、この全ねじボルトにおける第２のナット側の端部近傍の途中に、雄ねじ部より小径でねじ溝のない段落とし部を形成する構成とすることも可能である。
【００３９】
また、第１実施形態、第２実施形態の第１のナット、第２のナットはいずれも緩み止めナットとしたが、第１のナットと第２のナットのいずれか一方或いは双方を特別な緩み止め機能のない通常のナットとすることも可能である。また、取付物を被取付物に取り付ける取付部において、取付物から被取付物の逆側に突出するように設けられるボルトは本発明の趣旨の範囲内で適宜であり、第１実施形態のテーパーボルト１１、第２実施形態の頭部付ボルト６１、第２実施形態の変形例の全ねじボルトに限定されない。
【産業上の利用可能性】
【００４０】
本発明は、例えばコンクリート構造物の壁、天井等に取り付けられた取付物の落下防止対策や、トンネル内装板、耐火板、遮音壁などの壁状部材、板状部材の落下防止対策に利用することができる。
【符号の説明】
【００４１】
１０…ワイヤー係止具  １１…テーパーボルト  １１１…雄ねじ部  １１２…テーパー部  １１３…段落とし部  １２…スリーブ  １２１…スリット  １２２…拡開部  １３…ワッシャー  １４、１６…緩み止めナット  １４１、１６１…係合片  １５…係止アダプター  １５１…筒部  １５２…ワイヤー係止部  １５３…ワイヤー係止穴  ２１…シャックル  ２２…ワイヤー  ３０、３０ａ…取付物  ３０１ａ…支持金物  ４１…打込棒  ４２…打込工具  ５０…コンクリート構造物  ５１…穿孔  ６０…ワイヤー係止具  ６１…頭部付ボルト  ６１１…雄ねじ部  ６１２…頭部  ６１３…段落とし部  ６２…ワッシャー  ６３…緩み止めナット  ６４…係止アダプター  ６４１…筒部  ６４２…ワイヤー係止部  ６４３…ワイヤー係止穴  ６５…緩み止めナット  ３６…取付物  ５６…被取付物
【図１】
2018040390.tif 000003
【図２】
2018040390.tif 000004
【図３】
2018040390.tif 000005
【図４】
2018040390.tif 000006
【図５】
2018040390.tif 000007
【図６】
2018040390.tif 000008
【図７】
2018040390.tif 000009
【図８】
2018040390.tif 000010